(57)【要約】  本出願の実施例は、通信方法、ネットワーク装置と端末装置を提供する。該方法は、ネットワーク装置が端末装置の特性情報に基づき、端末装置の省電力化のための構成情報を確定することと、前記ネットワーク装置が前記端末装置へ前記構成情報を送信することとを含む。
2021520704.tif 000002
【特許請求の範囲】
【請求項１】
通信方法であって、
ネットワーク装置が端末装置の特性情報に基づき、端末装置の省電力化のための構成情報を確定することと、
前記ネットワーク装置が前記端末装置へ前記構成情報を送信することとを含む、通信方法。
【請求項２】
前記端末装置の特性情報は、前記端末装置のサブスクリプション情報及び／又はサービス情報を含むことを特徴とする
請求項１に記載の方法。
【請求項３】
前記端末装置のサブスクリプション情報は、端末装置がサブスクライブしている動作メカニズム及び／又は端末装置の省電力ニーズ情報を含むことを特徴とする
請求項２に記載の方法。
【請求項４】
前記端末装置のサービス情報は、
前記端末装置のデータの到着の時間間隔情報、前記時間間隔情報に対応する値の出現確率、前記時間間隔情報に対応する時間情報、前記時間間隔情報に対応する位置情報と、
前記端末装置のデータの伝送の頻度情報、前記頻度情報に対応する値の出現確率、前記頻度情報に対応する時間情報、前記頻度情報に対応する位置情報と、
前記端末装置のデータの到着の持続時間長情報、前記持続時間長情報に対応する値の出現確率、前記持続時間長情報に対応する時間情報、前記持続時間長情報に対応する位置情報と、
前記端末装置のサービス品質（ＱｏＳ）要件、前記ＱｏＳ要件に対応する値の出現確率、前記ＱｏＳ要件に対応する時間情報、前記ＱｏＳ要件に対応する位置情報、
のうちの少なくとも１つを含むことを特徴とする
請求項２又は３に記載の方法。
【請求項５】
前記ネットワーク装置が端末装置の特性情報に基づき、端末装置の省電力化のための構成情報を確定することは、
前記端末装置がサブスクライブしているのが省電力動作メカニズムである場合、前記ネットワーク装置が前記端末装置の間欠受信（ＤＲＸ）周期が第一の周期閾値よりも大きいことを確定することを含むことを特徴とする
請求項２−４のいずれか一項に記載の方法。
【請求項６】
前記ネットワーク装置が端末装置の特性情報に基づき、端末装置の省電力化のための構成情報を確定することは、
前記端末装置がサブスクライブしているのが省電力動作メカニズムであり、且つ前記端末装置のデータの伝送の頻度が非頻繁である場合、前記ネットワーク装置が、前記端末装置のＤＲＸ周期が第二の周期閾値よりも大きいことを確定することを含むことを特徴とする
請求項２−５のいずれか一項に記載の方法。
【請求項７】
前記ネットワーク装置が端末装置の特性情報に基づき、端末装置の省電力化のための構成情報を確定することは、
前記端末装置がサブスクライブしているのが省電力動作メカニズムであり、且つ前記端末装置のデータの到着の時間間隔が第一の時間間隔である場合、前記ネットワーク装置が、前記端末装置のＤＲＸ周期が前記第一の時間間隔以下であることを確定することを含むことを特徴とする
請求項２−６のいずれか一項に記載の方法。
【請求項８】
前記ネットワーク装置が端末装置の特性情報に基づき、端末装置の省電力化のための構成情報を確定することは、
前記端末装置がサブスクライブしているのが省電力動作メカニズムであり、且つ第一の期間内の前記端末装置の遅延要件が第一の遅延である場合、前記ネットワーク装置が、前記端末装置のＤＲＸ周期が前記第一の遅延以下であることを確定することを含むことを特徴とする
請求項２−７のいずれか一項に記載の方法。
【請求項９】
前記ネットワーク装置が端末装置の特性情報に基づき、端末装置の省電力化のための構成情報を確定することは、
前記端末装置がサブスクライブしているのが省電力動作メカニズムであり、且つ第一の領域内の前記端末装置の遅延要件が第二の遅延である場合、前記ネットワーク装置が、前記端末装置のＤＲＸ周期が前記第二の遅延以下であることを確定することを含むことを特徴とする
請求項２−８のいずれか一項に記載の方法。
【請求項１０】
前記省電力動作メカニズムはＤＲＸメカニズム、拡張ＤＲＸメカニズムと省電力管理（ＰＳＭ）メカニズムを含むことを特徴とする
請求項５−９のいずれか一項に記載の方法。
【請求項１１】
前記端末装置のサービス情報は、前記ネットワーク装置によって端末装置のサブスクリプションサーバから取得されることを特徴とする
請求項２−１０のいずれか一項に記載の方法。
【請求項１２】
前記端末装置のサービス情報は、前記端末装置の履歴サービス情報に基づいて前記ネットワーク装置によって確定されることを特徴とする
請求項２−１０のいずれか一項に記載の方法。
【請求項１３】
前記端末装置のサービス情報は、前記ネットワーク装置によって外部サーバから取得されることを特徴とする
請求項２−１０のいずれか一項に記載の方法。
【請求項１４】
前記外部サーバは、アプリケーションサーバであることを特徴とする
請求項１３に記載の方法。
【請求項１５】
前記方法はさらに、
前記ネットワーク装置が前記端末装置へ第一のメッセージを送信し、前記第一のメッセージが前記構成情報の変更の理由を前記端末装置に通知することに用いられることを含むことを特徴とする
請求項１−１４のいずれか一項に記載の方法。
【請求項１６】
端末装置の省電力化のための前記構成情報は、前記端末装置のＤＲＸ周期及び／又は前記端末装置のウェイクアップ時間長を含むことを特徴とする
請求項１−１５のいずれか一項に記載の方法。
【請求項１７】
通信方法であって、
端末装置がネットワーク装置から送信された、端末装置の省電力化のための構成情報を受信し、前記構成情報が前記端末装置の特性情報に基づいて前記ネットワーク装置によって確定されることと、
前記端末装置が前記構成情報に基づいてデータ伝送を行うこととを含む、通信方法。
【請求項１８】
前記端末装置の特性情報は、前記端末装置のサブスクリプション情報及び／又はサービス情報を含むことを特徴とする
請求項１７に記載の方法。
【請求項１９】
前記端末装置のサブスクリプション情報は、端末装置がサブスクライブしている動作メカニズム及び／又は端末装置の省電力ニーズを含むことを特徴とする
請求項１８に記載の方法。
【請求項２０】
前記動作メカニズムはＤＲＸメカニズム、拡張ＤＲＸメカニズムと省電力管理（ＰＳＭ）メカニズムを含むことを特徴とする
請求項１９に記載の方法。
【請求項２１】
前記端末装置のサービス情報は、
前記端末装置のデータの到着の時間間隔情報、前記時間間隔情報に対応する値の出現確率、前記時間間隔情報に対応する時間情報、前記時間間隔情報に対応する位置情報と、
前記端末装置のデータの伝送の頻度情報、前記頻度情報に対応する値の出現確率、前記頻度情報に対応する時間情報、前記頻度情報に対応する位置情報と、
前記端末装置のデータの到着の持続時間長情報、前記持続時間長情報に対応する値の出現確率、前記持続時間長情報に対応する時間情報、前記持続時間長情報に対応する位置情報と、
前記端末装置のサービス品質（ＱｏＳ）要件、前記ＱｏＳ要件に対応する値の出現確率、前記ＱｏＳ要件に対応する時間情報、前記ＱｏＳ要件に対応する位置情報、
のうちの少なくとも１つを含むことを特徴とする
請求項１８−２０のいずれか一項に記載の方法。
【請求項２２】
前記端末装置のサービス情報は、前記ネットワーク装置によって端末装置のサブスクリプションサーバから取得されることを特徴とする
請求項１８−２１のいずれか一項に記載の方法。
【請求項２３】
前記端末装置のサービス情報は、前記端末装置の履歴サービス情報に基づいて前記ネットワーク装置によって確定されることを特徴とする
請求項１８−２１のいずれか一項に記載の方法。
【請求項２４】
前記端末装置のサービス情報は、前記ネットワーク装置によって外部サーバから取得されることを特徴とする
請求項１８−２１のいずれか一項に記載の方法。
【請求項２５】
前記外部サーバは、アプリケーションサーバであることを特徴とする
請求項２４に記載の方法。
【請求項２６】
前記方法はさらに、
前記端末装置が前記ネットワーク装置から送信された、前記構成情報の変更の理由を前記端末装置に通知するための第一のメッセージを受信することを含むことを特徴とする
請求項１７−２５のいずれか一項に記載の方法。
【請求項２７】
端末装置の省電力化のための前記構成情報は、前記端末装置のＤＲＸ周期及び／又は前記端末装置のウェイクアップ時間長を含むことを特徴とする
請求項１７−２６のいずれか一項に記載の方法。
【請求項２８】
ネットワーク装置であって、
端末装置の特性情報に基づき、端末装置の省電力化のための構成情報を確定するように構成される確定モジュールと、
前記端末装置へ前記構成情報を送信するように構成される通信モジュールとを備える、ネットワーク装置。
【請求項２９】
前記端末装置の特性情報は、前記端末装置のサブスクリプション情報及び／又はサービス情報を含むことを特徴とする
請求項２８に記載のネットワーク装置。
【請求項３０】
前記端末装置のサブスクリプション情報は、端末装置がサブスクライブしている動作メカニズム及び／又は端末装置の省電力ニーズ情報を含むことを特徴とする
請求項２９に記載のネットワーク装置。
【請求項３１】
前記端末装置のサービス情報は、
前記端末装置のデータの到着の時間間隔情報、前記時間間隔情報に対応する値の出現確率、前記時間間隔情報に対応する時間情報、前記時間間隔情報に対応する位置情報と、
前記端末装置のデータの伝送の頻度情報、前記頻度情報に対応する値の出現確率、前記頻度情報に対応する時間情報、前記頻度情報に対応する位置情報と、
前記端末装置のデータの到着の持続時間長情報、前記持続時間長情報に対応する値の出現確率、前記持続時間長情報に対応する時間情報、前記持続時間長情報に対応する位置情報と、
前記端末装置のサービス品質（ＱｏＳ）要件、前記ＱｏＳ要件に対応する値の出現確率、前記ＱｏＳ要件に対応する時間情報、前記ＱｏＳ要件に対応する位置情報、
のうちの少なくとも１つを含むことを特徴とする
請求項２９又は３０に記載のネットワーク装置。
【請求項３２】
前記確定モジュールは具体的に、
前記端末装置がサブスクライブしているのが省電力動作メカニズムである場合、前記端末装置の間欠受信（ＤＲＸ）周期が第一の周期閾値よりも大きいことを確定するように構成されることを特徴とする
請求項２９−３１のいずれか一項に記載のネットワーク装置。
【請求項３３】
前記確定モジュールはさらに、
前記端末装置がサブスクライブしているのが省電力動作メカニズムであり、且つ前記端末装置のデータの伝送の頻度が非頻繁である場合、前記端末装置のＤＲＸ周期が第二の周期閾値よりも大きいことを確定するように構成されることを特徴とする
請求項２９−３２のいずれか一項に記載のネットワーク装置。
【請求項３４】
前記確定モジュールはさらに、
前記端末装置がサブスクライブしているのが省電力動作メカニズムであり、且つ前記端末装置のデータの到着の時間間隔が第一の時間間隔である場合、前記端末装置のＤＲＸ周期が前記第一の時間間隔以下であることを確定するように構成されることを特徴とする
請求項２９−３３のいずれか一項に記載のネットワーク装置。
【請求項３５】
前記確定モジュールはさらに、
前記端末装置がサブスクライブしているのが省電力動作メカニズムであり、且つ第一の期間内の前記端末装置の遅延要件が第一の遅延である場合、前記端末装置のＤＲＸ周期が前記第一の遅延以下であることを確定するように構成されることを特徴とする
請求項２９−３４のいずれか一項に記載のネットワーク装置。
【請求項３６】
前記確定モジュールはさらに、
前記端末装置がサブスクライブしているのが省電力動作メカニズムであり、且つ第一の領域内の前記端末装置の遅延要件が第二の遅延である場合、前記端末装置のＤＲＸ周期が前記第二の遅延以下であることを確定するように構成されることを特徴とする
請求項２９−３５のいずれか一項に記載のネットワーク装置。
【請求項３７】
前記省電力動作メカニズムはＤＲＸメカニズム、拡張ＤＲＸメカニズムと省電力管理（ＰＳＭ）メカニズムを含むことを特徴とする
請求項３２−３６のいずれか一項に記載のネットワーク装置。
【請求項３８】
前記端末装置のサービス情報は、前記ネットワーク装置によって端末装置のサブスクリプションサーバから取得されることを特徴とする
請求項２９−３７のいずれか一項に記載のネットワーク装置。
【請求項３９】
前記端末装置のサービス情報は、前記端末装置の履歴サービス情報に基づいて前記ネットワーク装置によって確定されることを特徴とする
請求項２９−３７のいずれか一項に記載のネットワーク装置。
【請求項４０】
前記端末装置のサービス情報は、前記ネットワーク装置によって外部サーバから取得されることを特徴とする
請求項２９−３７のいずれか一項に記載のネットワーク装置。
【請求項４１】
前記外部サーバは、アプリケーションサーバであることを特徴とする
請求項４０に記載のネットワーク装置。
【請求項４２】
前記通信モジュールはさらに、
前記端末装置へ第一のメッセージを送信し、前記第一のメッセージが前記構成情報の変更の理由を前記端末装置に通知することに用いられるように構成されることを特徴とする
請求項２８−４１のいずれか一項に記載のネットワーク装置。
【請求項４３】
端末装置の省電力化のための前記構成情報は、前記端末装置のＤＲＸ周期及び／又は前記端末装置のウェイクアップ時間長を含むことを特徴とする
請求項２８−４２のいずれか一項に記載のネットワーク装置。
【請求項４４】
端末装置であって、
ネットワーク装置から送信された、端末装置の省電力化のための構成情報を受信し、前記構成情報が前記端末装置の特性情報に基づいて前記ネットワーク装置によって確定され、前記構成情報に基づいてデータ伝送を行うように構成される通信モジュールを備える、端末装置。
【請求項４５】
前記端末装置の特性情報は、前記端末装置のサブスクリプション情報及び／又はサービス情報を含むことを特徴とする
請求項４４に記載の端末装置。
【請求項４６】
前記端末装置のサブスクリプション情報は、端末装置がサブスクライブしている動作メカニズム及び／又は端末装置の省電力ニーズを含むことを特徴とする
請求項４５に記載の端末装置。
【請求項４７】
前記動作メカニズムはＤＲＸメカニズム、拡張ＤＲＸメカニズムと省電力管理（ＰＳＭ）メカニズムを含むことを特徴とする
請求項４６に記載の端末装置。
【請求項４８】
前記端末装置のサービス情報は、
前記端末装置のデータの到着の時間間隔情報、前記時間間隔情報に対応する値の出現確率、前記時間間隔情報に対応する時間情報、前記時間間隔情報に対応する位置情報と、
前記端末装置のデータの伝送の頻度情報、前記頻度情報に対応する値の出現確率、前記頻度情報に対応する時間情報、前記頻度情報に対応する位置情報と、
前記端末装置のデータの到着の持続時間長情報、前記持続時間長情報に対応する値の出現確率、前記持続時間長情報に対応する時間情報、前記持続時間長情報に対応する位置情報と、
前記端末装置のサービス品質（ＱｏＳ）要件、前記ＱｏＳ要件に対応する値の出現確率、前記ＱｏＳ要件に対応する時間情報、前記ＱｏＳ要件に対応する位置情報、
のうちの少なくとも１つを含むことを特徴とする請求項４５−４７のいずれか一項に記載の端末装置。
【請求項４９】
前記端末装置のサービス情報は、前記ネットワーク装置によって端末装置のサブスクリプションサーバから取得されることを特徴とする
請求項４５−４８のいずれか一項に記載の端末装置。
【請求項５０】
前記端末装置のサービス情報は、前記端末装置の履歴サービス情報に基づいて前記ネットワーク装置によって確定されることを特徴とする
請求項４５−４８のいずれか一項に記載の端末装置。
【請求項５１】
記端末装置のサービス情報は、前記ネットワーク装置によって外部サーバから取得されることを特徴とする
請求項４５−４８のいずれか一項に記載の端末装置。
【請求項５２】
前記外部サーバは、アプリケーションサーバであることを特徴とする
請求項５１に記載の端末装置。
【請求項５３】
前記通信モジュールはさらに、
前記ネットワーク装置から送信された、前記構成情報の変更の理由を前記端末装置に通知するための第一のメッセージを受信するように構成されることを特徴とする
請求項４４−５２のいずれか一項に記載の端末装置。
【請求項５４】
端末装置の省電力化のための前記構成情報は、前記端末装置のＤＲＸ周期及び／又は前記端末装置のウェイクアップ時間長を含むことを特徴とする
請求項４４−５３のいずれか一項に記載の端末装置。
【発明の詳細な説明】
【技術分野】
【０００１】
本出願は通信分野に関し、且つより具体的には、通信方法、ネットワーク装置と端末装置に関する。
【背景技術】
【０００２】
従来のシステムでは、端末装置に間欠受信（ＤＲＸ：Ｄｉｓｃｏｎｔｉｎｕｏｕｓ  Ｒｅｃｅｐｔｉｏｎ）、拡張ＤＲＸ（ｅＤＲＸ：ｅｎｈａｎｃｅｄ  Ｄｉｓｃｏｎｔｉｎｕｏｕｓ  Ｒｅｃｅｐｔｉｏｎ）、省電力管理モード（ＰＳＭ：Ｐｏｗｅｒ  Ｓａｖｅ  Ｍａｎａｇｅｍｅｎｔ）などのいくつかの省電力モードがある。端末装置に使用される省電力モード構成がネットワーク装置と端末装置とのネゴシエーションによって確定されてもよいが、ネゴシエーションによって確定された省電力モード構成は、必ずしも端末装置のニーズを満たしておらず、したがって、どのように端末装置の省電力モード構成を確定するかは、研究すべき問題である。
【発明の概要】
【発明が解決しようとする課題】
【０００３】
本出願の実施例は、端末装置の特徴情報に基づいて端末装置の省電力モード構成を確定することができる、通信方法、ネットワーク装置と端末装置を提供する。
【課題を解決するための手段】
【０００４】
第一の態様による通信方法は、ネットワーク装置が端末装置の特性情報に基づき、端末装置の省電力化のための構成情報を確定することと、前記ネットワーク装置が前記端末装置へ前記構成情報を送信することとを含む。
【０００５】
本出願の実施例では、ネットワーク装置は、端末装置の特性情報に基づき、該端末装置の省電力化のための構成情報を確定することができ、したがって、確定された構成情報は、該端末装置により適合し、該端末装置の省電力ニーズを満たすことにさらに役立つ。
【０００６】
選択可能に、前記端末装置の特性情報は、前記端末装置のサブスクリプション情報及び／又はサービス情報を含む。
【０００７】
選択可能に、前記端末装置のサブスクリプション情報は、端末装置がサブスクライブしている動作メカニズム及び／又は端末装置の省電力ニーズ情報を含む。したがって、ネットワーク装置は、端末装置のサブスクリプション情報に基づき、該端末装置が省電力モード端末であるか否か、即ち省電力を目的とする端末であるか否かを確定することができる。これにより、ネットワーク装置は、該端末装置の省電力ニーズに応じて、該端末装置の省電力化のための構成情報を確定することができ、これにより、端末装置の電力消費を低減することに役立つ。
【０００８】
一つの可能な実施形態では、前記端末装置のサービス情報は、
前記端末装置のデータの到着の時間間隔情報、前記時間間隔情報に対応する値の出現確率、前記時間間隔情報に対応する時間情報、前記時間間隔情報に対応する位置情報と、
前記端末装置のデータの伝送の頻度情報、前記頻度情報に対応する値の出現確率、前記頻度情報に対応する時間情報、前記頻度情報に対応する位置情報と、
前記端末装置のデータの到着の持続時間長情報、前記持続時間長情報に対応する値の出現確率、前記持続時間長情報に対応する時間情報、前記持続時間長情報に対応する位置情報と、
前記端末装置のサービス品質（ＱｏＳ）要件、前記ＱｏＳ要件に対応する値の出現確率、前記ＱｏＳ要件に対応する時間情報、前記ＱｏＳ要件に対応する位置情報、
のうちの少なくとも１つを含む。
【０００９】
一つの可能な実施形態では、前記ネットワーク装置が端末装置の特性情報に基づき、端末装置の省電力化のための構成情報を確定することは、前記端末装置がサブスクライブしているのが省電力動作メカニズムである場合、前記ネットワーク装置が、前記端末装置のＤＲＸ周期が第一の周期閾値よりも大きいことを確定することを含む。
【００１０】
一つの可能な実施形態では、前記ネットワーク装置が端末装置の特性情報に基づき、端末装置の省電力化のための構成情報を確定することは、前記端末装置がサブスクライブしているのが省電力動作メカニズムであり、且つ前記端末装置のデータの伝送の頻度が非頻繁である場合、前記ネットワーク装置が、前記端末装置のＤＲＸ周期が第二の周期閾値よりも大きいことを確定することを含む。
【００１１】
選択可能に、いくつかの実施例では、前記ネットワーク装置は前記端末装置のデータの伝送の頻度が非頻繁である場合、該端末装置がサブスクライブしているのが省電力動作メカニズムであるか否かに関わらず、前記端末装置のＤＲＸ周期が第二の周期閾値よりも大きいことを確定することもできる。
【００１２】
一つの可能な実施形態では、前記ネットワーク装置が端末装置の特性情報に基づき、端末装置の省電力化のための構成情報を確定することは、前記端末装置がサブスクライブしているのが省電力動作メカニズムであり、且つ前記端末装置のデータの到着の時間間隔が第一の時間間隔である場合、前記ネットワーク装置が、前記端末装置のＤＲＸ周期が前記第一の時間間隔以下であることを確定することを含む。
【００１３】
選択可能に、いくつかの実施例では、前記ネットワーク装置は前記端末装置のデータの到着の時間間隔が第一の時間間隔である場合、該端末装置がサブスクライブしているのが省電力動作メカニズムであるか否かに関わらず、前記端末装置のＤＲＸ周期が前記第一の時間間隔以下であることを確定することもできる。
【００１４】
一つの可能な実施形態では、前記ネットワーク装置が端末装置の特性情報に基づき、端末装置の省電力化のための構成情報を確定することは、前記端末装置がサブスクライブしているのが省電力動作メカニズムであり、且つ第一の期間内の前記端末装置の遅延要件が第一の遅延である場合、前記ネットワーク装置が、前記端末装置のＤＲＸ周期が前記第一の遅延以下であることを確定することを含む。
【００１５】
選択可能に、いくつかの実施例では、前記ネットワーク装置は、第一の期間における端末装置の遅延要件が第一の遅延である場合、該端末装置がサブスクライブしているのが省電力動作メカニズムであるか否かに関わらず、前記端末装置のＤＲＸ周期が前記第一の遅延以下であることを確定することもできる。
【００１６】
一つの可能な実施形態では、前記ネットワーク装置が端末装置の特性情報に基づき、端末装置の省電力化のための構成情報を確定することは、前記端末装置がサブスクライブしているのが省電力動作メカニズムであり、且つ第一の領域内の前記端末装置の遅延要件が第二の遅延である場合、前記ネットワーク装置が、前記端末装置のＤＲＸ周期が前記第二の遅延以下であることを確定することを含む。
【００１７】
選択可能に、いくつかの実施例では、前記ネットワーク装置は、第一の領域における端末装置の遅延要件が第二の遅延である場合、該端末装置がサブスクライブしているのが省電力動作メカニズムであるか否かに関わらず、前記端末装置のＤＲＸ周期が前記第二の遅延以下であることを確定することもできる。
【００１８】
一つの可能な実施形態では、前記省電力動作メカニズムはＤＲＸメカニズム、拡張ＤＲＸメカニズムと省電力管理（ＰＳＭ）メカニズムを含む。
【００１９】
選択可能に、前記端末装置のサービス情報は、前記ネットワーク装置によって端末装置のサブスクリプションサーバから取得される。
【００２０】
選択可能に、前記端末装置のサービス情報は、前記端末装置の履歴サービス情報に基づいて前記ネットワーク装置によって確定される。又は、選択可能に、前記端末装置のサービス情報は、前記ネットワーク装置によって外部サーバから取得される。
【００２１】
一つの可能な実施形態では、前記外部サーバはアプリケーションサーバである。
【００２２】
一つの可能な実施形態では、前記方法はさらに、前記ネットワーク装置が前記端末装置へ第一のメッセージを送信し、前記第一のメッセージが前記構成情報の変更の理由を前記端末装置に通知することに用いられることを含む。
【００２３】
一つの可能な実施形態では、端末装置の省電力化のための前記構成情報は、前記端末装置のＤＲＸ周期及び／又は前記端末装置のウェイクアップ時間長を含む。
【００２４】
第二の態様による通信方法は、端末装置がネットワーク装置から送信された、端末装置の省電力化のための構成情報を受信し、前記構成情報が前記端末装置の特性情報に基づいて前記ネットワーク装置によって確定されることと、前記端末装置が前記構成情報に基づいてデータ伝送を行うこととを含む。
【００２５】
一つの可能な実施形態では、前記端末装置の特性情報は、前記端末装置のサブスクリプション情報及び／又はサービス情報を含む。
【００２６】
一つの可能な実施形態では、前記端末装置のサブスクリプション情報は、端末装置がサブスクライブしている動作メカニズム及び／又は端末装置の省電力ニーズを含む。
【００２７】
一つの可能な実施形態では、前記動作メカニズムはＤＲＸメカニズム、拡張ＤＲＸメカニズムと省電力管理（ＰＳＭ）メカニズムを含む。
【００２８】
一つの可能な実施形態では、前記端末装置のサービス情報は、
前記端末装置のデータの到着の時間間隔情報、前記時間間隔情報に対応する値の出現確率、前記時間間隔情報に対応する時間情報、前記時間間隔情報に対応する位置情報と、
前記端末装置のデータの伝送の頻度情報、前記頻度情報に対応する値の出現確率、前記頻度情報に対応する時間情報、前記頻度情報に対応する位置情報と、
前記端末装置のデータの到着の持続時間長情報、前記持続時間長情報に対応する値の出現確率、前記持続時間長情報に対応する時間情報、前記持続時間長情報に対応する位置情報と、
前記端末装置のサービス品質（ＱｏＳ）要件、前記ＱｏＳ要件に対応する値の出現確率、前記ＱｏＳ要件に対応する時間情報、前記ＱｏＳ要件に対応する位置情報、
のうちの少なくとも１つを含む。
【００２９】
選択可能に、前記端末装置のサービス情報は、前記ネットワーク装置によって端末装置のサブスクリプションサーバから取得される。
【００３０】
選択可能に、前記端末装置のサービス情報は、前記端末装置の履歴サービス情報に基づいて前記ネットワーク装置によって確定される。又は、選択可能に、前記端末装置のサービス情報は、前記ネットワーク装置によって外部サーバから取得される。
【００３１】
一つの可能な実施形態では、前記外部サーバはアプリケーションサーバである。
【００３２】
一つの可能な実施形態では、前記方法はさらに、前記端末装置が前記ネットワーク装置から送信された、前記構成情報の変更の理由を前記端末装置に通知するための第一のメッセージを受信することを含む。
【００３３】
一つの可能な実施形態では、端末装置の省電力化のための前記構成情報は、前記端末装置のＤＲＸ周期及び／又は前記端末装置のウェイクアップ時間長を含む。
【００３４】
第三の態様によるネットワーク装置は上記第一の態様又は第一の態様のいずれかの可能な実施形態における方法を実行することに用いられる。具体的には、該ネットワーク装置は、上記第一の態様又は第一の態様のいずれかの可能な実施形態における方法を実行するためのユニットを備える。
【００３５】
第四の態様による端末装置は、メモリ、プロセッサ、入力インタフェースと出力インタフェースを備える。ここで、メモリ、プロセッサ、入力インタフェースと出力インタフェースはバスシステムを介して接続される。該メモリは命令を記憶するように構成され、該プロセッサは該メモリに記憶された、上記第一の態様又は第一の態様のいずれかの可能な実施形態における方法を実行するための命令を実行するように構成される。
【００３６】
第五の態様によるネットワーク装置は上記第二の態様又は第二の態様のいずれかの可能な実施形態における方法を実行することに用いられる。具体的には、該ネットワーク装置は、上記第二の態様又は第二の態様のいずれかの可能な実施形態における方法を実行するためのユニットを備える。
【００３７】
第六の態様による端末装置は、メモリ、プロセッサ、入力インタフェースと出力インタフェースを備える。ここで、メモリ、プロセッサ、入力インタフェースと出力インタフェースはバスシステムを介して接続される。該メモリは命令を記憶するように構成され、該プロセッサは該メモリに記憶された、上記第二の態様又は第二の態様のいずれかの可能な実施形態における方法を実行するための命令を実行するように構成される。
【００３８】
第七の態様によるコンピュータ記憶媒体は、上記第一の態様又は第一の態様のいずれかの可能な実施形態における方法を実行するための、上記態様を実行するために設計されたプログラムを含むコンピュータソフトウエア命令を記憶することに用いられる。
【００３９】
第八の態様による命令を含むコンピュータプログラム製品は、コンピュータで実行される場合、コンピュータに上記第一の態様又は第一の態様のいずれかの選択可能な実施形態における方法を実行させる。
【００４０】
第九の態様によるコンピュータ記憶媒体は、上記第二の態様又は第二の態様のいずれかの可能な実施形態における方法を実行するための、上記態様を実行するために設計されたプログラムを含むコンピュータソフトウエア命令を記憶することに用いられる。
【００４１】
第十の態様による命令を含むコンピュータプログラム製品は、コンピュータで実行される場合、コンピュータに上記第二の態様又は第二の態様のいずれかの選択可能な実施形態における方法を実行させる。
【図面の簡単な説明】
【００４２】
【図１】本出願の実施例に適用する通信システムの一例の概略図である。
【図２】本出願の実施例による通信方法を示す概略フローチャートである。
【図３】本出願の別の実施例による通信方法を示す概略フローチャートである。
【図４】本出願の実施例によるネットワーク装置を示す概略ブロック図である。
【図５】本出願の実施例による端末装置を示す概略ブロック図である。
【図６】本出願の別の実施例によるネットワーク装置を示す概略ブロック図である。
【図７】本出願の別の実施例による端末装置を示す概略ブロック図である。
【発明を実施するための形態】
【００４３】
以下に図面と組み合わせながら本出願の実施例における技術的解決策を説明する。
【００４４】
本出願の実施例の技術的解決策は様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」と略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ：「ＴＤＤ」と略称）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム又は将来の５Ｇシステムなどに応用されてもよい。
【００４５】
図１には本発明の実施例に応用される無線通信システム１００が示される。該無線通信システム１００はネットワーク装置１１０を備えることができる。ネットワーク装置１００は端末装置と通信する装置であってもよい。ネットワーク装置１００は特定の地理的エリアに対して通信カバレッジを提供することができ、そして該カバレッジに位置する端末装置（例えばＵＥ）と通信を行うことができる。選択可能に、該ネットワーク装置１００はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステムにおける進化型基地局（ｅＮＢ又はｅＮｏｄｅＢ：Ｅｖｏｌｕｔｉｏｎａｌ  ＮｏｄｅＢ）であってもよいし、クラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、又は該ネットワーク装置は中継局、アクセスポイント、車載デバイス、ウェアラブルデバイス、将来の５Ｇネットワークにおけるネットワーク装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）におけるネットワーク装置などであってもよい。
【００４６】
該無線通信システム１００はさらにネットワーク装置１１０のカバレッジに位置する少なくとも一つの端末装置１２０を備える。端末装置１２０は移動型又は固定型であってもよい。選択可能に、端末装置１２０はアクセス端末、ユーザ装置（ＵＥ：Ｕｓｅｒ  Ｅｑｕｉｐｍｅｎｔ）、加入者ユニット、加入者局、移動局、移動ステーション、遠隔局、遠隔端末、移動装置、ユーザ端末、端末、無線通信装置、ユーザエージェント又はユーザ装置を指すことができる。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化したＰＬＭＮネットワークにおける端末装置などであってもよい。
【００４７】
図２は本出願の実施例による通信方法の概略フローチャートである。図２に示すように、該方法２００は、
ネットワーク装置が端末装置の特性情報に基づき、端末装置の省電力化のための構成情報を確定するＳ２１０と、
前記ネットワーク装置が前記端末装置へ前記構成情報を送信するＳ２２０とを含む。
【００４８】
本出願の実施例では、ネットワーク装置は、端末装置の特性情報に基づき、該端末装置の省電力化のための構成情報を確定することができ、したがって、確定された構成情報は、該端末装置により適合し、該端末装置の省電力ニーズを満たすことにさらに役立つ。
【００４９】
選択可能に、本出願の実施例では、前記端末装置の特性情報は、ユーザの個人的なニーズに応じて確定されてもよく、例えば、ユーザの好みやサブスクリプションサービスなどに応じて確定されてもよく、したがって、該端末装置の特性情報は、該端末装置固有の属性情報と考えられてもよい。
【００５０】
選択可能に、いくつかの実施例では、前記端末装置の特性情報は、該端末装置のサブスクリプション情報及び／又は該端末装置のサービス情報を含むことができる。
【００５１】
選択可能に、該端末装置のサブスクリプション情報は、該端末装置がネットワークに登録する時のサブスクリプション情報であってもよく、具体的には、該端末装置がネットワークに登録する時に、該端末装置の省電力ニーズ情報をネットワーク装置に通知することができ、例えば、該端末装置は該端末装置が省電力モード端末であることをネットワーク装置に示し、つまり、該端末装置は、基本的なサービスニーズを満たしている場合、省電力を主な目的とする。
【００５２】
選択可能に、該端末装置はネットワークに登録する時に、ＤＲＸ、ｅＤＲＸ、ＰＳＭなどの省電力動作モードをサブスクライブすることもでき、上記動作モードがサブスクライブされている場合、ネットワーク装置は、該端末装置が省電力モード端末であり、即ち該端末装置が省電力を主な目的とすることを考えることができ、これにより、該ネットワーク装置は、端末装置に対応する省電力化のための構成情報を確定することができ、例えば、端末装置のＤＲＸ周期を長く設定し、又はスリープ時間（つまり、非アクティブ時間）を長く設定し、ウェイクアップ時間（つまり、アクティブ化時間）を短く設定することができることなどがあり、これにより、端末装置の電力消費を低減することに役立つ。
【００５３】
理解すべきこととして、本出願の実施例では、ＤＲＸは端末装置の間欠センシングにより、端末装置の電力消費を節約することであり、ｅＤＲＸは、ＤＲＸに基づいてセンシング周期を拡張することであり、ＰＳＭは、無線周波数チャネルを閉じて通信操作を停止する動作モードを提供することである。
【００５４】
したがって、ネットワーク装置は、端末装置のサブスクリプション情報に基づき、該端末装置が省電力モード端末であるか否か、即ち省電力を目的とする端末であるか否かを確定することができる。これにより、ネットワーク装置は、該端末装置の省電力ニーズに応じて、該端末装置の省電力化のための構成情報を確定することができ、これにより、端末装置の電力消費を低減することに役立つ。
【００５５】
選択可能に、いくつかの実施形態では、端末装置の省電力化のための前記構成情報は、前記端末装置のＤＲＸ周期、ｅＤＲＸ周期、前記端末装置のウェイクアップ時間長と前記端末装置のスリープ時間長のうちの少なくとも１つを含む。
【００５６】
選択可能に、いくつかの実施例では、前記端末装置のサービス情報は、
前記端末装置のデータの到着の時間間隔情報、前記時間間隔情報に対応する値の出現確率、前記時間間隔情報に対応する時間情報、前記時間間隔情報に対応する位置情報と、
前記端末装置のデータの伝送の頻度情報、前記頻度情報に対応する値の出現確率、前記頻度情報に対応する時間情報、前記頻度情報に対応する位置情報と、
前記端末装置のデータの到着の持続時間長情報、前記持続時間長情報に対応する値の出現確率、前記持続時間長情報に対応する時間情報、前記持続時間長情報に対応する位置情報と、
前記端末装置のサービス品質（ＱｏＳ）要件、前記ＱｏＳ要件に対応する値の出現確率、前記ＱｏＳ要件に対応する時間情報、前記ＱｏＳ要件に対応する位置情報、
のうちの少なくとも１つを含む。
【００５７】
選択可能に、本出願の実施例では、前記端末装置のデータの到着の時間間隔は端末装置の隣接する２つのデータが到着する時間間隔として理解されてもよく、又は第一の期間が、大量のデータが到着する期間であり、該第一の期間の後の第二の期間が大量のデータが到着する期間である場合、該第一の期間と該第二の期間の時間間隔もデータが到着する時間間隔として理解されてもよく、この時に、該デーの到着が大量データの到着である。
【００５８】
選択可能に、本出願の実施例では、前記端末装置のデータの伝送の頻度情報は、端末装置のデータの伝送の頻繁程度を示すことに用いられてもよく、例えば、該端末装置のデータの伝送の頻度情報は、端末装置のデータ伝送が頻繁であるか否かを示すことに用いられてもよく、又は、端末装置のデータの伝送の頻度も頻繁、正常、非頻繁などの複数のレベルに分けられてもよく、本出願の実施例はこれを限定しない。
【００５９】
選択可能に、本出願の実施例では、前記端末装置のデータの到着の持続時間長情報は、大量のデータが到着する持続時間として理解されてもよく、例えば、第三の期間に大量のデータが持続的に到着する場合、該端末装置のデータの到着の持続時間長は該第三の期間の時間長であってもよく、又は、該持続時間長情報も端末装置のデータの伝送の時間長情報、例えば１つのデータが到着してから伝送が完了されるまでの時間長として理解されてもよい。
【００６０】
選択可能に、本出願の実施例では、前記端末装置のサービス品質（ＱｏＳ：Ｑｕａｌｉｔｙ−ｏｆ−Ｓｅｒｖｉｃｅ）は、端末装置の遅延要件、信頼性ニーズなどを含むことができ、本出願実施例はこれを限定しない。
【００６１】
以下、該端末装置の遅延ニーズを例として該情報に対応する値の確率、該情報に対応する時間情報、該情報に対応する位置情報の意味を説明する。
【００６２】
例えば、端末装置の遅延ニーズが５分間であり、該値の確率が８０％であり、即ち端末装置の遅延ニーズが５分間であるの確率が８０％である場合、ネットワーク装置が５分間内で端末装置の遅延ニーズを満たす確率は、８０％以上である必要がある。
【００６３】
また、例えば、端末装置の遅延ニーズが５分間であり、朝の７：００から夜の２３：００に対応し、端末装置の遅延ニーズが１０分間であり、夜の２３：００から朝の７：００に対応する場合、ネットワーク装置は、朝の７：００から夜の２３：００に５分間以下の遅延ニーズを満たす必要があり、夜の２３：００から朝の７：００に１０分間以下の遅延ニーズを満たす必要がある。
【００６４】
また、例えば、端末装置の遅延ニーズが５分間であり、第一の領域（例えば、会社が位置する領域）に対応し、端末装置の遅延ニーズが１０分間であり、第二の領域（例えば、家が位置する領域）に対応する場合、ネットワーク装置は、第一の領域に５分間以下の遅延ニーズを満たす必要があり、第二の領域に１０分間以下の遅延を満たす必要がある。
【００６５】
選択可能に、いくつかの実施例では、前記端末装置のサブスクリプション情報は、前記ネットワーク装置によって端末装置のサブスクリプションサーバから取得されてもよい。
【００６６】
端末装置のサブスクリプションサーバに端末装置のサブスクリプション情報が記憶されていると理解すべきであり、したがって、ネットワーク装置が該端末装置のサブスクリプション情報を取得したい場合、該ネットワーク装置は、該端末装置のサブスクリプションサーバから記憶された該端末装置のサブスクリプション情報を取得することができる。
【００６７】
選択可能に、いくつかの実施例では、前記端末装置のサービス情報は、前記ネットワーク装置によって端末装置のサブスクリプションサーバから取得されてもよい。
【００６８】
具体的には、端末装置がネットワークに登録する過程では、端末装置は、サブスクリプションサーバに該端末装置のサービス情報、例えばＱｏｓ、データの到着の時間間隔などの情報を報告することができ、該サブスクリプションサーバは該端末装置のサービス情報を記憶することができる。ネットワーク装置が該端末装置のサービス情報を取得したい場合、該ネットワーク装置は、該端末装置のサブスクリプションサーバから記憶された該端末装置のサービス情報を取得することができる。
【００６９】
選択可能に、いくつかの実施例では、前記端末装置のサービス情報は、前記端末装置の履歴サービス情報に基づいてネットワーク装置によって確定されてもよい。
【００７０】
例えば、該ネットワーク装置は該端末装置の履歴サービス情報を統計することができ、１つの具体的な実施形態では、該ネットワーク装置は、過去のある期間内のサービス伝送状況に応じて、該端末装置のサービス情報を確定することができ、例えば、該端末装置は、過去のある期間におけるデータ伝送の頻度、データの到着の時間間隔、持続時間などの情報を統計し、これによって該端末装置のサービス情報を確定することができる。
【００７１】
選択可能に、いくつかの実施例では、前記端末装置のサービス情報及び／又はサブスクリプション情報は、前記ネットワーク装置によって外部サーバから取得されてもよい。
【００７２】
選択可能に、該外部サーバは、端末装置、ネットワーク装置と端末装置のサブスクリプションサーバ以外の装置、例えばアプリケーションサーバなどであってもよく、本出願の実施例はこれを限定しない。
【００７３】
選択可能に、いくつかの実施例では、Ｓ２１０は具体的には、
前記端末装置がサブスクライブしているのが省電力動作メカニズムである場合、前記ネットワーク装置が前記端末装置の間欠受信（ＤＲＸ）周期が第一の周期閾値よりも大きいことを確定することを含むことができる。
【００７４】
具体的には、端末装置がサブスクライブしているのがＤＲＸ、ｅＤＲＸ又はＰＳＭなどの省電力動作メカニズムである場合、該ネットワーク装置は端末装置に対して省電力化のための構成情報を設定することができ、例えば、端末装置のＤＲＸ周期を第一の周期閾値よりも大きく設定し、又は端末装置のスリープ時間を第一の時間長よりも大きく設定し、又はウェイクアップ時間を第二の時間よりも小さく設定することができることなどがあり、これにより、端末装置の消費電力を低減させることに役立つ。
【００７５】
選択可能に、いくつかの実施例では、Ｓ２１０は、
前記端末装置がサブスクライブしているのが省電力動作メカニズムであり、且つ前記端末装置のデータの伝送の頻度が非頻繁である場合、前記ネットワーク装置が、前記端末装置のＤＲＸ周期が第二の周期閾値よりも大きいことを確定することを含むことができる。
【００７６】
具体的には、端末装置がサブスクライブしているのがＤＲＸ、ｅＤＲＸ又はＰＳＭなどの省電力動作メカニズムであり、且つ端末装置のデータの伝送の頻度が非頻繁である場合、該ネットワーク装置は端末装置に対して省電力化のための構成情報を設定することができ、例えば、端末装置のＤＲＸ周期を第二の周期閾値よりも大きく設定し、又は端末装置のスリープ時間を第三の時間長よりも大きく設定し、又はウェイクアップ時間を第四の時間よりも小さく設定することができることなどがあり、これにより、端末装置の省電力化に役立つ。
【００７７】
選択可能に、いくつかの実施例では、前記ネットワーク装置は前記端末装置のデータの伝送の頻度が非頻繁である場合、該端末装置がサブスクライブしているのが省電力動作メカニズムであるか否かに関わらず、前記端末装置のＤＲＸ周期が第二の周期閾値よりも大きいことを確定することもできる。
【００７８】
選択可能に、いくつかの実施例では、Ｓ２１０は、
前記端末装置がサブスクライブしているのが省電力動作メカニズムであり、且つ前記端末装置のデータの到着の時間間隔が第一の時間間隔である場合、前記ネットワーク装置が、前記端末装置のＤＲＸ周期が前記第一の時間間隔以下であることを確定することを含むことができる。
【００７９】
例えば、端末装置がサブスクライブしているのがＤＲＸ、ｅＤＲＸ又はＰＳＭなどの省電力動作メカニズムであり、且つ端末装置のデータの到着の時間間隔が１０ｍｓである場合、該ネットワーク装置は、端末装置のＤＲＸ周期（ｃｙｃｌｅ）を１０分間以下、例えば５分間に設定し、又は、端末装置のスリープ時間長を１０分間以下に設定することができることなどがあり、これにより、端末装置の省電力化に役立つ。
【００８０】
選択可能に、いくつかの実施例では、前記ネットワーク装置は前記端末装置のデータの到着の時間間隔が第一の時間間隔である場合、該端末装置がサブスクライブしているのが省電力動作メカニズムであるか否かに関わらず、前記端末装置のＤＲＸ周期が前記第一の時間間隔以下であることを確定することもできる。
【００８１】
選択可能に、いくつかの実施例では、Ｓ２１０は、
前記端末装置がサブスクライブしているのが省電力動作メカニズムであり、且つ第一の期間内の前記端末装置の遅延要件が第一の遅延である場合、前記ネットワーク装置が、前記端末装置のＤＲＸ周期が前記第一の遅延以下であることを確定することを含むことができる。
【００８２】
例えば、朝の７：００から夜の２３：００に、端末装置の遅延ニーズが５分間であり、夜の２３：００から朝の７：００に、端末装置の遅延ニーズが１０分間である場合、該ネットワーク装置は、朝７：００から夜の２３：００に端末装置のＤＲＸ周期を５分間以下に設定し、又はスリープ時間長を５分間以下に設定し、夜の２３：００から朝の７：００に端末装置のＤＲＸ周期を１０分間以下に設定し、又はスリープ時間長を１０分間以下に設定することができ、これにより、端末装置の遅延ニーズを満たすことに役立つ。
【００８３】
選択可能に、いくつかの実施例では、前記ネットワーク装置は、第一の期間における端末装置の遅延要件が第一の遅延である場合、該端末装置がサブスクライブしているのが省電力動作メカニズムであるか否かに関わらず、前記端末装置のＤＲＸ周期が前記第一の遅延以下であることを確定することもできる。
【００８４】
選択可能に、いくつかの実施例では、Ｓ２１０は、
前記端末装置がサブスクライブしているのが省電力動作メカニズムであり、且つ第一の領域内の前記端末装置の遅延要件が第二の遅延である場合、前記ネットワーク装置が、前記端末装置のＤＲＸ周期が前記第二の遅延以下であることを確定することを含むことができる。
【００８５】
例えば、第一の領域（例えば、会社が位置する領域）に、端末装置の遅延ニーズが５分間であり、第二の領域（例えば、該第一の領域以外の領域）に、端末装置の遅延ニーズが１０分間である場合、該ネットワーク装置は、端末装置が第一の領域にある時に、端末装置のＤＲＸ周期を５分間以下に設定し、又はスリープ時間長を５分間以下に設定し、端末装置が第二の領域にある時に、端末装置のＤＲＸ周期を１０分間以下に設定し、又はスリープ時間長を１０分間以下に設定することができ、これにより、端末装置の遅延ニーズを満たすことに役立つ。
【００８６】
選択可能に、いくつかの実施例では、前記ネットワーク装置は、第一の領域における端末装置の遅延要件が第二の遅延である場合、該端末装置がサブスクライブしているのが省電力動作メカニズムであるか否かに関わらず、前記端末装置のＤＲＸ周期が前記第二の遅延以下であることを確定することもできる。
【００８７】
選択可能に、いくつかの実施例では、前記方法２００はさらに、
前記ネットワーク装置が前記端末装置へ第一のメッセージを送信し、前記第一のメッセージが前記構成情報の変更の理由を前記端末装置に通知することに用いられることを含むことができる。
【００８８】
具体的には、ネットワーク装置が該端末装置の省電力化のための構成情報を変更し、例えば、該端末装置のＤＲＸ周期を１０ｍｓから５ｍｓに変更する場合、該ネットワーク装置は、例えば、該端末装置のサービス情報（例えば、遅延ニーズ）又は端末装置のサブスクリプション情報に基づく構成情報の変更の理由を該端末装置に通知することができる。
【００８９】
したがって、ネットワーク装置は、端末装置のサブスクリプション情報とサービス情報に基づき、端末装置の省電力化のための構成情報を確定することができ、確定された構成情報の粒度がより細かく、端末装置のサービスニーズを満たすことにより役立つ。
【００９０】
以上に図２を組み合わせ、ネットワーク装置の観点から本出願の実施形態による通信方法を詳細に説明し、以下に図３を組み合わせ、端末装置の観点から本出願の他の実施形態による通信方法を詳細に説明する。端末装置側の説明とネットワーク装置側の説明が相互に対応すると理解すべきであり、同様の内容について上記のことを参照でき、繰り返しを回避するために、ここで説明を省略しない。
【００９１】
図３は本出願の別の実施例による通信方法３００の概略フローチャートである。図３に示すように、該方法３００は、
端末装置がネットワーク装置から送信された、端末装置の省電力化のための構成情報を受信し、前記構成情報が前記端末装置の特性情報に基づいて前記ネットワーク装置によって確定されるＳ３１０と、
前記端末装置が前記構成情報に基づいてデータ伝送を行うＳ３２０とを含む。
【００９２】
選択可能に、いくつかの実施形態では、前記端末装置の特性情報は、前記端末装置のサブスクリプション情報及び／又はサービス情報を含む。
【００９３】
選択可能に、いくつかの実施形態では、前記端末装置のサブスクリプション情報は、端末装置がサブスクライブしている動作メカニズム及び／又は端末装置の省電力ニーズを含む。
【００９４】
選択可能に、いくつかの実施形態では、前記動作メカニズムはＤＲＸメカニズム、拡張ＤＲＸメカニズムと省電力管理（ＰＳＭ）メカニズムを含む。
【００９５】
選択可能に、いくつかの実施例では、前記端末装置のサービス情報は、
前記端末装置のデータの到着の時間間隔情報、前記時間間隔情報に対応する値の出現確率、前記時間間隔情報に対応する時間情報、前記時間間隔情報に対応する位置情報と、
前記端末装置のデータの伝送の頻度情報、前記頻度情報に対応する値の出現確率、前記頻度情報に対応する時間情報、前記頻度情報に対応する位置情報と、
前記端末装置のデータの到着の持続時間長情報、前記持続時間長情報に対応する値の出現確率、前記持続時間長情報に対応する時間情報、前記持続時間長情報に対応する位置情報と、
前記端末装置のサービス品質（ＱｏＳ）要件、前記ＱｏＳ要件に対応する値の出現確率、前記ＱｏＳ要件に対応する時間情報、前記ＱｏＳ要件に対応する位置情報、
のうちの少なくとも１つを含む。
【００９６】
選択可能に、いくつかの実施例では、前記端末装置のサービス情報は、前記ネットワーク装置によって端末装置のサブスクリプションサーバから取得される。
【００９７】
選択可能に、いくつかの実施例では、前記端末装置のサービス情報は、前記端末装置の履歴サービス情報に基づいて前記ネットワーク装置によって確定される。
【００９８】
選択可能に、いくつかの実施例では、前記端末装置のサービス情報は、前記ネットワーク装置によって外部サーバから取得される。
【００９９】
選択可能に、いくつかの実施例では、前記外部サーバはアプリケーションサーバである。
【０１００】
選択可能に、いくつかの実施例では、前記方法３００はさらに、
前記端末装置が前記ネットワーク装置から送信された、前記構成情報の変更の理由を前記端末装置に通知するための第一のメッセージを受信することを含む。
【０１０１】
選択可能に、いくつかの実施例では、端末装置の省電力化のための前記構成情報は、前記端末装置のＤＲＸ周期及び／又は前記端末装置のウェイクアップ時間長を含む。
【０１０２】
以上に図２〜図３を組み合わせながら本出願の方法の実施形態を詳細に説明し、以下に図４〜図７を組み合わせながら本出願の装置の実施例を詳細に説明し、装置の実施例が方法の実施例に対応すると理解すべきであり、同様の説明について方法の実施例を参照できる。
【０１０３】
図４は本出願の実施例によるネットワーク装置４００を示す概略ブロック図である。図４に示すように、該ネットワーク装置４００は、
端末装置の特性情報に基づき、端末装置の省電力化のための構成情報を確定するように構成される確定モジュール４１０と、
前記端末装置へ前記構成情報を送信するように構成される通信モジュール４２０とを備える。
【０１０４】
選択可能に、いくつかの実施形態では、前記端末装置の特性情報は、前記端末装置のサブスクリプション情報及び／又はサービス情報を含む。
【０１０５】
選択可能に、いくつかの実施形態では、前記端末装置のサブスクリプション情報は、端末装置がサブスクライブしている動作メカニズム及び／又は端末装置の省電力ニーズ情報を含む。
【０１０６】
選択可能に、いくつかの実施例では、前記端末装置のサービス情報は、
前記端末装置のデータの到着の時間間隔情報、前記時間間隔情報に対応する値の出現確率、前記時間間隔情報に対応する時間情報、前記時間間隔情報に対応する位置情報と、
前記端末装置のデータの伝送の頻度情報、前記頻度情報に対応する値の出現確率、前記頻度情報に対応する時間情報、前記頻度情報に対応する位置情報と、
前記端末装置のデータの到着の持続時間長情報、前記持続時間長情報に対応する値の出現確率、前記持続時間長情報に対応する時間情報、前記持続時間長情報に対応する位置情報と、
前記端末装置のサービス品質（ＱｏＳ）要件、前記ＱｏＳ要件に対応する値の出現確率、前記ＱｏＳ要件に対応する時間情報、前記ＱｏＳ要件に対応する位置情報、
のうちの少なくとも１つを含む。
【０１０７】
選択可能に、いくつかの実施例では、前記確定モジュール４１０は具体的に、
前記端末装置がサブスクライブしているのが省電力動作メカニズムである場合、前記端末装置のＤＲＸ周期が第一の周期閾値よりも大きいことを確定するように構成される。
【０１０８】
選択可能に、いくつかの実施例では、前記確定モジュール４１０はさらに、
前記端末装置がサブスクライブしているのが省電力動作メカニズムであり、且つ前記端末装置のデータの伝送の頻度が非頻繁である場合、前記端末装置のＤＲＸ周期が第二の周期閾値よりも大きいことを確定するように構成される。
【０１０９】
選択可能に、いくつかの実施例では、前記確定モジュール４１０はさらに、
前記端末装置がサブスクライブしているのが省電力動作メカニズムであり、且つ前記端末装置のデータの到着の時間間隔が第一の時間間隔である場合、前記端末装置のＤＲＸ周期が前記第一の時間間隔以下であることを確定するように構成される。
【０１１０】
選択可能に、いくつかの実施例では、前記確定モジュール４１０はさらに、
前記端末装置がサブスクライブしているのが省電力動作メカニズムであり、且つ第一の期間内の前記端末装置の遅延要件が第一の遅延である場合、前記端末装置のＤＲＸ周期が前記第一の遅延以下であることを確定するように構成される。
【０１１１】
選択可能に、いくつかの実施例では、前記確定モジュール４１０はさらに、
前記端末装置がサブスクライブしているのが省電力動作メカニズムであり、且つ第一の領域内の前記端末装置の遅延要件が第二の遅延である場合、前記端末装置のＤＲＸ周期が前記第二の遅延以下であることを確定するように構成される。
【０１１２】
選択可能に、いくつかの実施形態では、前記省電力動作メカニズムはＤＲＸメカニズム、拡張ＤＲＸメカニズムと省電力管理（ＰＳＭ）メカニズムを含む。
【０１１３】
選択可能に、いくつかの実施例では、前記端末装置のサービス情報は、前記ネットワーク装置によって端末装置のサブスクリプションサーバから取得される。又は、前記端末装置のサービス情報は、前記端末装置の履歴サービス情報に基づいて前記ネットワーク装置によって確定される。又は、前記端末装置のサービス情報は、前記ネットワーク装置によって外部サーバから取得される。
【０１１４】
選択可能に、いくつかの実施例では、前記外部サーバはアプリケーションサーバである。
【０１１５】
選択可能に、いくつかの実施例では、前記通信モジュール４２０はさらに、
前記端末装置へ第一のメッセージを送信し、前記第一のメッセージが前記構成情報の変更の理由を前記端末装置に通知することに用いられるように構成される。
【０１１６】
選択可能に、いくつかの実施例では、端末装置の省電力化のための前記構成情報は、前記端末装置のＤＲＸ周期及び／又は前記端末装置のウェイクアップ時間長を含む。
【０１１７】
理解すべきこととして、本出願の実施例によるネットワーク装置４００は本出願の方法の実施例におけるネットワーク装置に対応してもよく、且つネットワーク装置４００の各ユニットの上記と他の操作及び／又は機能はそれぞれ図２に示される方法におけるネットワーク装置の対応するプロセスを実現するためのものであり、簡潔するために、ここでは説明を省略する。
【０１１８】
図５は本出願の実施例による端末装置の概略ブロック図である。図５の端末装置５００は、
ネットワーク装置から送信された、端末装置の省電力化のための構成情報を受信し、前記構成情報が前記端末装置の特性情報に基づいて前記ネットワーク装置によって確定され、前記構成情報に基づいてデータ伝送を行うように構成される通信モジュール５１０を備える。
【０１１９】
選択可能に、いくつかの実施形態では、前記端末装置の特性情報は、前記端末装置のサブスクリプション情報及び／又はサービス情報を含む。
【０１２０】
選択可能に、いくつかの実施形態では、前記端末装置のサブスクリプション情報は、端末装置がサブスクライブしている動作メカニズム及び／又は端末装置の省電力ニーズを含む。
【０１２１】
選択可能に、いくつかの実施形態では、前記動作メカニズムはＤＲＸメカニズム、拡張ＤＲＸメカニズムと省電力管理（ＰＳＭ）メカニズムを含む。
【０１２２】
選択可能に、いくつかの実施例では、前記端末装置のサービス情報は、
前記端末装置のデータの到着の時間間隔情報、前記時間間隔情報に対応する値の出現確率、前記時間間隔情報に対応する時間情報、前記時間間隔情報に対応する位置情報と、
前記端末装置のデータの伝送の頻度情報、前記頻度情報に対応する値の出現確率、前記頻度情報に対応する時間情報、前記頻度情報に対応する位置情報と、
前記端末装置のデータの到着の持続時間長情報、前記持続時間長情報に対応する値の出現確率、前記持続時間長情報に対応する時間情報、前記持続時間長情報に対応する位置情報と、
前記端末装置のサービス品質（ＱｏＳ）要件、前記ＱｏＳ要件に対応する値の出現確率、前記ＱｏＳ要件に対応する時間情報、前記ＱｏＳ要件に対応する位置情報、
のうちの少なくとも１つを含む。
【０１２３】
選択可能に、いくつかの実施例では、前記端末装置のサービス情報は、前記ネットワーク装置によって端末装置のサブスクリプションサーバから取得される。又は、前記端末装置のサービス情報は、前記端末装置の履歴サービス情報に基づいて前記ネットワーク装置によって確定される。又は、前記端末装置のサービス情報は、前記ネットワーク装置によって外部サーバから取得される。
【０１２４】
選択可能に、いくつかの実施例では、前記外部サーバはアプリケーションサーバである。
【０１２５】
選択可能に、いくつかの実施例では、前記通信モジュール５１０はさらに、
前記ネットワーク装置から送信された、前記構成情報の変更の理由を前記端末装置に通知するための第一のメッセージを受信するように構成される。
【０１２６】
選択可能に、いくつかの実施例では、端末装置の省電力化のための前記構成情報は、前記端末装置のＤＲＸ周期及び／又は前記端末装置のウェイクアップ時間長を含む。
【０１２７】
具体的には、該端末装置５００は、上記方法３００で記載される端末装置に対応することができ（例えば上記方法３００で記載される端末装置に配置されてよく又はそれ自体が該端末装置である）、且つ、該端末装置５００の各モジュール又はユニットはそれぞれ上記方法３００における端末装置によって実行される各動作又は処理プロセスを実行することに用いられ、ここで、繰り返し説明を回避するために、その詳細な説明を省略する。
【０１２８】
図６に示すように、本出願の実施例はさらにネットワーク装置６００を提供する。前記ネットワーク装置６００は、図２の方法２００に対応するネットワーク装置の内容の実行に利用可能な図４におけるネットワーク装置４００であってもよい。前記ネットワーク装置６００は、入力インタフェース６１０、出力インタフェース６２０、プロセッサ６３０及びメモリ６４０を備え、前記入力インタフェース６１０、出力インタフェース６２０、プロセッサ６３０とメモリ６４０がバスシステムを介して接続されてもよい。前記メモリ６４０はプログラム、命令又はコードを記憶するように構成される。前記プロセッサ６３０は信号を受信するように入力インタフェース６１０を制御し、信号を送信するように出力インタフェース６２０を制御し、前記方法の実施例における操作を完了するために、前記メモリ６４０におけるプログラム、命令又はコードを実行するように構成される。
【０１２９】
理解すべきこととして、本出願の実施形態では、前記プロセッサ６３０は中央処理ユニット（Ｃｅｎｔｒａｌ  Ｐｒｏｃｅｓｓｉｎｇ  Ｕｎｉｔ：「ＣＰＵ」と略称）であってもよく、前記プロセッサ６３０はさらに他の汎用プロセッサ、デジタル信号プロセッサ（ＤＳＰ）、専用集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は前記プロセッサはいずれかの従来のプロセッサなどであってもよい。
【０１３０】
前記メモリ６４０は読み取り専用メモリとランダムアクセスメモリを含み、そしてプロセッサ６３０へ命令とデータを提供することができる。メモリ６４０の一部はさらに不揮発性ランダムアクセスメモリを含むことができる。例えば、メモリ６４０はさらに装置タイプの情報を記憶することができる。
【０１３１】
実施プロセスでは、上記方法の各内容は、プロセッサ６３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせで実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。前記記憶媒体はメモリ６４０に位置し、プロセッサ６３０はメモリ６４０における情報を読み取り、そのハードウェアと組み合わせて上記方法の内容を完了する。繰り返しを回避するために、ここで詳細な説明を省略する。
【０１３２】
一つの具体的な実施形態では、図４のネットワーク装置４００が備える確定モジュール４１０は、図６のプロセッサ６３０で実現されてもよく、図４のネットワーク装置４００が備える通信モジュール４２０は、図６の前記入力インタフェース６１０と前記出力インタフェース６２０で実現されてもよい。
【０１３３】
図７に示すように、本出願の実施例はさらに端末装置７００を提供する。前記端末装置７００は、図３の方法３００に対応する端末装置の内容の実行に利用可能な図５における端末装置５００であってもよい。前記装置７００は、入力インタフェース７１０、出力インタフェース７２０、プロセッサ７３０及びメモリ７４０を備え、前記入力インタフェース７１０、出力インタフェース７２０、プロセッサ７３０とメモリ７４０がバスシステムを介して接続されてもよい。前記メモリ７４０はプログラム、命令又はコードを記憶するように構成される。前記プロセッサ７３０は信号を受信するように入力インタフェース７１０を制御し、信号を送信するように出力インタフェース７２０を制御し、前記方法の実施例における操作を完了するために、前記メモリ７４０におけるプログラム、命令又はコードを実行するように構成される。
【０１３４】
理解すべきこととして、本出願の実施形態では、前記プロセッサ７３０は中央処理ユニット（Ｃｅｎｔｒａｌ  Ｐｒｏｃｅｓｓｉｎｇ  Ｕｎｉｔ：「ＣＰＵ」と略称）であってもよく、前記プロセッサ７３０はさらに他の汎用プロセッサ、デジタル信号プロセッサ（ＤＳＰ）、専用集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は前記プロセッサはいずれかの従来のプロセッサなどであってもよい。
【０１３５】
前記メモリ７４０は読み取り専用メモリとランダムアクセスメモリを含み、そしてプロセッサ７３０へ命令とデータを提供することができる。メモリ７４０の一部はさらに不揮発性ランダムアクセスメモリを含むことができる。例えば、メモリ７４０はさらに装置タイプの情報を記憶することができる。
【０１３６】
実施過程では、上記方法の各内容は、プロセッサ７３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせで実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。前記記憶媒体はメモリ７４０に位置し、プロセッサ７３０はメモリ７４０における情報を読み取り、そのハードウェアと組み合わせて上記方法の内容を完了する。繰り返しを回避するために、ここで詳細な説明を省略する。
【０１３７】
一つの具体的な実施形態では、図５の端末装置５００が備える通信モジュール５１０は、図７の前記入力インタフェース７１０と前記出力インタフェース７２０で実現されてもよい。
【０１３８】
本出願の実施例はさらに、命令を含む１つ又は複数のプログラムを記憶し、該命令が複数のアプリケーションプログラムを含む携帯型電子装置によって実行される時に、該携帯型電子装置に図２と図３に示す実施形態における方法を実行させることができるコンピュータ可読記憶媒体を提供する。
【０１３９】
本出願の実施例はさらに、命令を含み、コンピュータに実行される場合、コンピュータが図２と図３に示す実施例における方法の対応するプロセスを実行することができるコンピュータプログラムを提供する。
【０１４０】
当業者であれば、本明細書で開示される実施例と組み合わせて説明された各例のユニット及びアルゴリズムステップは、電子ハードウェア、又はコンピュータソフトウェアと電子ハードウェアの組み合わせで実現されてもよいと理解できる。これらの機能がハードウエア又はソフトウエアで実行されるかは、技術的解決策の特定アプリケーションと設計制約条件に依存する。当業者は各特定のアプリケーションに対して異なる方法を用いて記述される機能を実現することができるが、このような実現は本出願の範囲を超えると考えられるべきではない。
【０１４１】
当業者は、便利及び簡潔に説明するために、上記のシステム、装置及びユニットの具体的な動作プロセスについて、前記方法の実施例における対応するプロセスを参照でき、ここで説明を省略することを明確に理解することができる。
【０１４２】
本出願が提供する、いくつかの実施例では、開示されるシステム、装置及び方法は、他の方式により実現されてもよいと理解すべきである。例えば、上記の装置の実施例は例示的なものだけであり、例えば、前記ユニットの区分は、論理機能的区分だけであり、実際に実施する時に他の区分方式もあり得て、例えば複数のユニット又は構成要素は組み合わせられてもよい又は別のシステムに統合されてもよく、又はいくつかの特徴が無視されてもよく、又は実行されなくてもよい。また、示される又は議論される相互結合又は直接結合又は通信接続はいくつかのインターフェース介する装置又はユニットの間接的結合又は通信接続であってもよく、電気的形態、機械的形態又は他の形態であってもよい。
【０１４３】
分離部材として説明された前記ユニットは物理的に分離するものであってもよく又は物理的に分離するものでなくてもよく、ユニットとして表示された部材は物理的ユニットであってもよく又は物理的ユニットでなくてもよく、すなわち一つの位置に配置されもよく、又は複数のネットワーク要素に分布してもよい。実際のニーズに応じてそのうちの一部又は全てのユニットを選択して本実施例の解決策の目的を達成することができる。
【０１４４】
また、本出願の各実施例における各機能ユニットは一つの処理ユニットに統合されてもよく、個々のユニットは単独で物理的に存在してもよく、二つ又は二つ以上のユニットは一つのユニットに統合されてもよい。
【０１４５】
前記機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は前記技術的解決策の部分がソフトウェア製品の形で具現化されてもよく、前記コンピュータソフトウェア製品が記憶媒体に記憶され、コンピュータ装置（パーソナルコンピュータ、サーバ、又はネットワーク装置等であってもよい）に本出願の様々な実施例に記載された方法の全て又は一部のステップを実行させるためのいくつかの命令を含む。前記憶媒体はＵＳＢフラッシュドライブ、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１４６】
上記は、本出願の具体的な実施形態だけであるが、本出願の保護範囲はこれに制限されず、当業者が本出願で開示された技術範囲内で容易に想到し得る変化又は入れ替わりが全て本出願の保護範囲以内に含まれるべきである。従って、本出願の保護範囲は前記請求項の保護範囲に準拠するべきである。
【図１】
2021520704.tif 000003
【図２】
2021520704.tif 000004
【図３】
2021520704.tif 000005
【図４】
2021520704.tif 000006
【図５】
2021520704.tif 000007
【図６】
2021520704.tif 000008
【図７】
2021520704.tif 000009
【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
通信方法であって、
ネットワーク装置が端末装置の特性情報に基づき、端末装置の省電力化のための構成情報を確定することと、
前記ネットワーク装置が前記端末装置へ前記構成情報を送信することとを含む、通信方法。
【請求項２】
前記端末装置の特性情報は、前記端末装置のサブスクリプション情報及び／又はサービス情報を含むことを特徴とする
請求項１に記載の方法。
【請求項３】
前記端末装置のサブスクリプション情報は、端末装置がサブスクライブしている動作メカニズム及び／又は端末装置の省電力ニーズ情報を含むことを特徴とする
請求項２に記載の方法。
【請求項４】
前記端末装置のサービス情報は、
前記端末装置のデータの到着の時間間隔情報、前記時間間隔情報に対応する値の出現確率、前記時間間隔情報に対応する時間情報、前記時間間隔情報に対応する位置情報と、
前記端末装置のデータの伝送の頻度情報、前記頻度情報に対応する値の出現確率、前記頻度情報に対応する時間情報、前記頻度情報に対応する位置情報と、
前記端末装置のデータの到着の持続時間長情報、前記持続時間長情報に対応する値の出現確率、前記持続時間長情報に対応する時間情報、前記持続時間長情報に対応する位置情報と、
前記端末装置のサービス品質（ＱｏＳ）要件、前記ＱｏＳ要件に対応する値の出現確率、前記ＱｏＳ要件に対応する時間情報、前記ＱｏＳ要件に対応する位置情報、
のうちの少なくとも１つを含むことを特徴とする
請求項２又は３に記載の方法。
【請求項５】
前記端末装置のサービス情報は、前記ネットワーク装置によって外部サーバから取得されることを特徴とする
請求項２−４のいずれか一項に記載の方法。
【請求項６】
端末装置の省電力化のための前記構成情報は、前記端末装置のＤＲＸ周期及び／又は前記端末装置のウェイクアップ時間長を含むことを特徴とする
請求項１−５のいずれか一項に記載の方法。
【請求項７】
通信方法であって、
端末装置がネットワーク装置から送信された、端末装置の省電力化のための構成情報を受信し、前記構成情報が前記端末装置の特性情報に基づいて前記ネットワーク装置によって確定されることと、
前記端末装置が前記構成情報に基づいてデータ伝送を行うこととを含む、通信方法。
【請求項８】
前記端末装置の特性情報は、前記端末装置のサブスクリプション情報及び／又はサービス情報を含むことを特徴とする
請求項７に記載の方法。
【請求項９】
前記端末装置のサブスクリプション情報は、端末装置がサブスクライブしている動作メカニズム及び／又は端末装置の省電力ニーズを含むことを特徴とする
請求項８に記載の方法。
【請求項１０】
前記端末装置のサービス情報は、
前記端末装置のデータの到着の時間間隔情報、前記時間間隔情報に対応する値の出現確率、前記時間間隔情報に対応する時間情報、前記時間間隔情報に対応する位置情報と、
前記端末装置のデータの伝送の頻度情報、前記頻度情報に対応する値の出現確率、前記頻度情報に対応する時間情報、前記頻度情報に対応する位置情報と、
前記端末装置のデータの到着の持続時間長情報、前記持続時間長情報に対応する値の出現確率、前記持続時間長情報に対応する時間情報、前記持続時間長情報に対応する位置情報と、
前記端末装置のサービス品質（ＱｏＳ）要件、前記ＱｏＳ要件に対応する値の出現確率、前記ＱｏＳ要件に対応する時間情報、前記ＱｏＳ要件に対応する位置情報、
のうちの少なくとも１つを含むことを特徴とする
請求項８又は９に記載の方法。
【請求項１１】
前記端末装置のサービス情報は、前記ネットワーク装置によって外部サーバから取得されることを特徴とする
請求項８−１０のいずれか一項に記載の方法。
【請求項１２】
端末装置の省電力化のための前記構成情報は、前記端末装置のＤＲＸ周期及び／又は前記端末装置のウェイクアップ時間長を含むことを特徴とする
請求項７−１１のいずれか一項に記載の方法。
【請求項１３】
ネットワーク装置であって、
端末装置の特性情報に基づき、端末装置の省電力化のための構成情報を確定するように構成される確定モジュールと、
前記端末装置へ前記構成情報を送信するように構成される通信モジュールとを備える、ネットワーク装置。
【請求項１４】
前記端末装置の特性情報は、前記端末装置のサブスクリプション情報及び／又はサービス情報を含むことを特徴とする
請求項１３に記載のネットワーク装置。
【請求項１５】
前記端末装置のサブスクリプション情報は、端末装置がサブスクライブしている動作メカニズム及び／又は端末装置の省電力ニーズ情報を含むことを特徴とする
請求項１４に記載のネットワーク装置。
【請求項１６】
前記端末装置のサービス情報は、
前記端末装置のデータの到着の時間間隔情報、前記時間間隔情報に対応する値の出現確率、前記時間間隔情報に対応する時間情報、前記時間間隔情報に対応する位置情報と、
前記端末装置のデータの伝送の頻度情報、前記頻度情報に対応する値の出現確率、前記頻度情報に対応する時間情報、前記頻度情報に対応する位置情報と、
前記端末装置のデータの到着の持続時間長情報、前記持続時間長情報に対応する値の出現確率、前記持続時間長情報に対応する時間情報、前記持続時間長情報に対応する位置情報と、
前記端末装置のサービス品質（ＱｏＳ）要件、前記ＱｏＳ要件に対応する値の出現確率、前記ＱｏＳ要件に対応する時間情報、前記ＱｏＳ要件に対応する位置情報、
のうちの少なくとも１つを含むことを特徴とする
請求項１４又は１５に記載のネットワーク装置。
【請求項１７】
前記端末装置のサービス情報は、前記ネットワーク装置によって外部サーバから取得されることを特徴とする
請求項１４−１６のいずれか一項に記載のネットワーク装置。
【請求項１８】
端末装置の省電力化のための前記構成情報は、前記端末装置のＤＲＸ周期及び／又は前記端末装置のウェイクアップ時間長を含むことを特徴とする
請求項１３−１７のいずれか一項に記載のネットワーク装置。
【請求項１９】
端末装置であって、
ネットワーク装置から送信された、端末装置の省電力化のための構成情報を受信し、前記構成情報が前記端末装置の特性情報に基づいて前記ネットワーク装置によって確定され、前記構成情報に基づいてデータ伝送を行うように構成される通信モジュールを備える、端末装置。
【請求項２０】
前記端末装置の特性情報は、前記端末装置のサブスクリプション情報及び／又はサービス情報を含むことを特徴とする
請求項１９に記載の端末装置。
【請求項２１】
前記端末装置のサブスクリプション情報は、端末装置がサブスクライブしている動作メカニズム及び／又は端末装置の省電力ニーズを含むことを特徴とする
請求項２０に記載の端末装置。
【請求項２２】
前記端末装置のサービス情報は、
前記端末装置のデータの到着の時間間隔情報、前記時間間隔情報に対応する値の出現確率、前記時間間隔情報に対応する時間情報、前記時間間隔情報に対応する位置情報と、
前記端末装置のデータの伝送の頻度情報、前記頻度情報に対応する値の出現確率、前記頻度情報に対応する時間情報、前記頻度情報に対応する位置情報と、
前記端末装置のデータの到着の持続時間長情報、前記持続時間長情報に対応する値の出現確率、前記持続時間長情報に対応する時間情報、前記持続時間長情報に対応する位置情報と、
前記端末装置のサービス品質（ＱｏＳ）要件、前記ＱｏＳ要件に対応する値の出現確率、前記ＱｏＳ要件に対応する時間情報、前記ＱｏＳ要件に対応する位置情報、
のうちの少なくとも１つを含むことを特徴とする請求項２０又は２１に記載の端末装置。
【請求項２３】
記端末装置のサービス情報は、前記ネットワーク装置によって外部サーバから取得されることを特徴とする
請求項２０−２２のいずれか一項に記載の端末装置。
【請求項２４】
端末装置の省電力化のための前記構成情報は、前記端末装置のＤＲＸ周期及び／又は前記端末装置のウェイクアップ時間長を含むことを特徴とする
請求項１９−２３のいずれか一項に記載の端末装置。
【国際調査報告】
2021520704.tif 000010
2021520704.tif 000011
2021520704.tif 000012
2021520704.tif 000013